(57)【特許請求の範囲】
【請求項１】
ユーザにより選択可能な画像であって、互いに異なる色を示す複数パターンの画像を出力する第１の出力手段と；
上記第１の出力手段により出力された上記複数パターンの画像に基づくユーザの指示に応じて、上記複数パターンの画像からユーザにより選択された画像を特定し、ユーザにより選択された当該画像に対応する色を、出力対象の画像において使用が制限される色として決定する決定手段と；
出力対象の画像を解析することによって、当該出力対象の画像のうちの上記決定手段により決定された色を有する部分を特定し、当該出力対象の画像のうちの特定された当該部分の色を、他の色に変換する変換手段と；
上記変換手段により上記部分の色が変換された上記出力対象の画像を出力する第２の出力手段と；
を有することを特徴とする画像処理装置。
【請求項２】
請求項１において、
上記第１の出力手段は、上記複数パターンの画像に加えて、出力対象の画像の色が変換されるときの、変換後の複数の候補色を示す画像を出力し、上記変換手段は、上記第１の出力手段により出力された画像に基づくユーザの指示に応じて、当該複数の候補色からユーザにより選択された候補色を特定し、上記決定手段により決定された色を、特定された当該候補色に変換することを特徴とする画像処理装置。
【請求項３】
請求項１または２において、
上記第１の出力手段は、複数色を含む画像を出力し、上記決定手段は、ユーザにより選択された画像に含まれている複数色の組合せが出力対象の画像において制限されるように、当該出力対象の画像において使用が制限される色を決定することを特徴とする画像処理装置。
【請求項４】
請求項１〜請求項３のいずれか１項において、
上記第２の出力手段は、上記第１の出力手段により出力された複数パターンの画像の全てがユーザにより選択されたと判別した場合、白または黒を用いて配色された画像を出力することを特徴とする画像処理装置。
【請求項５】
請求項１〜請求項４のいずれか１項において、
上記第１の出力手段は、上記複数パターンの画像を含むシートに対応するシート画像を印刷装置に出力してシートに印刷させ、
上記決定手段は、上記第１の出力手段により印刷されたシートを読取装置が読み取って得られた読取画像に基づき上記シートに含まれる複数パターンの画像のうちユーザにより選択された画像を判別することによって、出力対象の画像において使用が制限される色を決定することを特徴とする画像処理装置。
【請求項６】
請求項１〜請求項５のいずれか１項において、
上記第２の出力手段は、出力対象の画像を印刷装置に印刷させる印刷制御処理と、出力対象の画像を表示装置に表示させる表示制御処理の両方が可能であり、当該印刷制御処理と、当該表示制御処理のいずれであっても、上記決定手段により決定された色が上記変換手段により変換された当該出力対象の画像を出力することを特徴とする画像処理装置。
【請求項７】
ユーザにより選択可能な画像であって、互いに異なる色を示す複数パターンの画像を出力する第１の出力工程と；
上記第１の出力工程において出力された上記複数パターンの画像に基づくユーザの指示に応じて、上記複数パターンの画像からユーザにより選択された画像を特定し、ユーザにより選択された当該画像に対応する色を、出力対象の画像において使用が制限される色として決定する決定工程と；
出力対象の画像を解析することによって、当該出力対象の画像のうちの上記決定工程において決定された色を有する部分を特定し、当該出力対象の画像のうちの特定された当該部分の色を、他の色に変換する変換工程と；
上記変換工程において上記部分の色が変換された上記出力対象の画像を出力する第２の出力工程と；
を有することを特徴とする画像処理方法。
【請求項８】
請求項７に記載の画像処理方法をコンピュータに実行させるためのプログラム。
【発明の詳細な説明】
【技術分野】
【０００１】
本発明は、出力対象の画像を出力する画像処理装置、画像処理方法、およびプログラムに関する。
【背景技術】
【０００２】
従来、一部の色味が見えない色覚異常、色覚障害、色覚特性を有するユーザには、色が正しく見えないので、製品の表示部や印刷物は見えづらい。
【０００３】
また、それらの色が見えないユーザでないとしても、苦手な色合い等の物が存在している。これらに対応するために、以下の方法が従来考えられている。
【０００４】
１つは、表示する際に、色変換を施す部位と施さない部位とを決め、決められた色変換を施す部位にのみ色変換を行い、実際に見えている表示に近い状態で表示する色覚障害者用の表示システムが提案されている（たとえば、特許文献１参照）。
【０００５】
また、色覚障害者用の色変換システムにおいて、色変換の情報を、障害タイプと障害程度とを情報として入力することによって、障害に応じて色変換するシステムが提案されている（たとえば、特許文献２参照。）。
【特許文献１】特開２００２−５５６７１号公報
【特許文献２】特開２００３−２８９４３０号公報
【発明の開示】
【発明が解決しようとする課題】
【０００６】
しかし、特許文献１記載の方法は、色変換を施す部位と施さない部位とが予め決められ、また、施す部位に関しても、その色変換がユーザにとって見えやすい補正をかけるように設定することが簡単ではないという問題がある。また、その特性は、個人特有であり、その色変換を一意に決めることは困難であるという問題がある。
【０００７】
また、特許文献２記載の方法は、操作部を介して、ユーザが障害の程度を入力する方法である。しかし特許文献２の方法では、自分がどのような見た目になって欲しいかを明示的にせず、障害の内容に関してのみ入力するので、障害レベルを認知できないユーザや、障害レベルの低いユーザにとっては、簡便ではないという問題がある。このために、画像処理装置で実際に使用する色について、見難いものを変更指定することができないという問題がある。
【０００８】
上記の課題を鑑みて本発明は、ユーザが見難い色の使用を適切に制限して、出力対象の画像を出力することができる画像処理装置、画像処理方法、およびプログラムを提供することを目的とする。
【課題を解決するための手段】
【０００９】
本発明の画像処理装置は、ユーザにより選択可能な画像であって、互いに異なる色を示す複数パターンの画像を出力する第１の出力手段と、上記第１の出力手段により出力された上記複数パターンの画像に基づくユーザの指示に応じて、上記複数パターンの画像からユーザにより選択された画像を特定し、ユーザにより選択された当該画像に対応する色を、出力対象の画像において使用が制限される色として決定する決定手段と、出力対象の画像を解析することによって、当該出力対象の画像のうちの上記決定手段により決定された色を有する部分を特定し、当該出力対象の画像のうちの特定された当該部分の色を、他の色に変換する変換手段と、上記変換手段により上記部分の色が変換された上記出力対象の画像を出力する第２の出力手段とを有することを特徴とする。
【発明の効果】
【００１０】
本発明によれば、ユーザが見難い色の使用を適切に制限して、出力対象の画像を出力することができる。
【発明を実施するための最良の形態】
【００１１】
発明を実施するための最良の形態は、次の実施例である。
【実施例１】
【００１２】
図１は、本発明の実施例１である画像処理装置１００の概略構成を示すブロック図である。
【００１３】
画像処理装置１００は、本体の内容や操作項目を表示する表示手段と、操作する操作手段と、原稿や写真やシート等を印刷する印刷手段と、表示や印刷色変換を行う色変換手段と、上記印刷手段で印刷を行ったシートを読み取ることができる読取手段とを有する。
【００１４】
つまり、画像処理装置１００は、ＣＰＵ１と、ＲＯＭ２と、ＲＡＭ３と、画像メモリ４と、データ変換部５と、読取制御部６と、読取部７と、ＣＰＵバス８と、通信制御部９と、解像度変換処理部１０と、符号復号化処理部１１とを有する。さらに、画像処理装置１００は、記録制御部１２と、記録部１３と、給紙部１４と、ＵＳＢファンクション制御部１５と、データ蓄積部１６と、ＵＳＢホスト制御部１７と、操作、表示部２０とを有する。しかも、画像処理装置１００は、メモリカード１８と、デジタルカメラ１９と、通信回線Ｌとに接続されている。
【００１５】
ＣＰＵ１は、システム制御部であり、画像処理装置１００の全体を制御する。
【００１６】
ＲＯＭ２は、ＣＰＵ１が実行する制御プログラムや組み込みオペレーティングシステム（ＯＳ）プログラム等を格納する。実施例１では、ＲＯＭ２に格納されている各制御プログラムは、ＲＯＭ２に格納されている組み込みＯＳの管理下で、スケジューリングやタスクスイッチ等のソフトウエア制御を行う。
【００１７】
ＲＡＭ３は、ＳＲＡＭ（ｓｔａｔｉｃ  ＲＡＭ）等で構成され、プログラム制御変数等を格納し、また、オペレータが登録した設定値や画像処理装置１００の管理データ等を格納し、各種ワーク用バッファ領域が設けられている。
【００１８】
画像メモリ４は、ＤＲＡＭ（ｄｙｎａｍｉｃ  ＲＡＭ）等で構成され、画像データを蓄積する。
【００１９】
データ変換部５は、ページ記述言語（ＰＤＬ）等の解析や、キャラクタデータのＣＧ（ｃｏｍｐｕｔｅｒ  ｇｒａｐｈｉｃｓ）展開等、画像データの変換を行う。
【００２０】
読取制御部６について説明する。読取部７が、ＣＩＳイメージセンサ（密着型イメージセンサ）によって原稿を光学的に読み取る。電気的な画像データに変換した画像信号を、図示しない画像処理制御部を介して、２値化処理や中間調処理等の各種画像処理を施し、高精細な画像データを出力する。なお、実施例１では、読取制御部６は、原稿を搬送しながら読み取りを行うシート読取制御方式と、原稿台にある原稿をスキャンするブック読取制御方式の両制御方式に対応している。
【００２１】
操作部２０は、ホームキー、ナビキー、決定キー、戻るキー等を備え、ユーザが画像印刷データの決定や登録値の設定データ設定の登録動作を行うための操作部である。また、各種キー、ＬＥＤ（発光ダイオード）とＬＣＤ（液晶ディスプレイ）等によって構成される。この結果オペレータによる各種入力操作や、画像処理装置１００の動作状況、ステータス状況の表示等を行うことができる。
【００２２】
通信制御部９は、ＭＯＤＥＭ（変復調装置）や、ＮＣＵ（網制御装置）等によって構成されている。実施例１では、通信制御部９は、アナログの通信回線（ＰＳＴＮ）Ｌに接続され、Ｔ３０プロトコルでの通信制御、通信回線Ｌに対する発呼と着呼等の回線制御を行っている。
【００２３】
解像度変換処理部１０は、画像データのミリ−インチ解像度変換等の解像度変換制御を行う。なお、解像度変換処理部１０において、画像データの拡大縮小処理も可能である。
【００２４】
符号復号化処理部１１は、画像処理装置１００で扱う画像データ（ＭＨ、ＭＲ、ＭＭＲ、ＪＢＩＧ、ＪＰＥＧ等）を符号復号化処理や、拡大縮小処理を行う。
【００２５】
記録制御部１２は、印刷される画像データに対し、図示しない画像処理制御部を介して、スムージング処理や記録濃度補正処理、色補正等の各種画像処理を施し、高精細な画像データに変換し、記録部１３（後述）に出力する。また、記録部１３を制御することによって、定期的に記録部１３の状態情報を取得する役割も果たす。
【００２６】
記録部１３は、レーザビームプリンタやインクジェットプリンタ等からなる印刷部であり、カラー画像データ、又はモノクロ画像データを印刷部材に印刷する。
【００２７】
給紙部１４は、印刷のための用紙を保持することができる部位である。記録制御部１２からの制御で給紙部１４から給紙を行うことができる。特に、給紙部１４は、複数種類の用紙を１つの画像処理装置に保持するために、複数の給紙部を用意することができる。そして記録制御部１２によって、どの給紙部から給紙を行うかの制御を行うことができる。
【００２８】
ＵＳＢファンクション制御部１５は、ＵＳＢインタフェースの通信制御を行うものである。ＵＳＢ通信規格に従って、プロトコル制御を行い、ＣＰＵ１が実行するＵＳＢ制御タスクからのデータを、パケットに変換し、外部の情報処理端末に、ＵＳＢパケット送信を行う。逆に、外部の情報処理端末からのＵＳＢパケットを、データに変換してＣＰＵ１に対し送信を行ったりする。
【００２９】
データ蓄積部１６はデータを蓄積するための部位である。画像メモリ４としてのＤＲＡＭではデータバックアップ用の領域を用意していないので、実施例１ではデータ蓄積部としてデータ保存領域を用意している。画像メモリ４と共有する場合もある。データ蓄積部１６にデータのバックアップ等を行うことが出来る。実施例１ではＤＲＡＭを用いているが、ハードディスクや揮発性メモリ等を使用するようにしてもよい。
【００３０】
ＵＳＢホスト制御部１７は、ＵＳＢ通信規格で定められたプロトコルで通信を行う為の制御部である。ＵＳＢ通信規格は、双方向のデータ通信を高速に行うことが出来る規格であり、１台のホスト（マスター）に対し、複数のハブ又はファンクション（スレーブ）を接続することが出来る。
【００３１】
メモリカード１８は、データ記憶媒体であり、画像処理装置１００に接続することが出来る。実施例１では、ＵＳＢホスト制御部１７とインタフェースで接続されているが、この限りではない。メモリカードには画像のデータやその他電子データはＵＳＢホスト制御部１７を通じて、メモリカード内のデータにアクセスすることが出来る。
【００３２】
実施例１においては、記録機能のＵＳＢ通信は１対１の接続形態を用いる。
【００３３】
上記構成要素１〜６、９〜１７、２０は、ＣＰＵ１が管理するＣＰＵバス８を介して、相互に接続されている。
【００３４】
実施例１においては、読取部７と読取制御部６において文書原稿を読み取り、解像度変換処理部１０やデータ変換部５を経て、データ蓄積部１６に文書データを保存することができる。そして操作部２０からの操作によって、文書の検索ができる。なお、実施例１で想定している文書データは、上記方法による文書だけでない。メモリカード１８からの転送によるデータ、通信制御部を通した場合におけるデータのように、データ蓄積部１６にデータを保存している状態であり、文書がページ情報をもっている場合であれば、この限りではない。
【００３５】
図２は、画像処理装置１００における操作部２０の具体例を示す図である。
【００３６】
操作部２０は、ＬＣＤ２１と、電源キー２２と、用紙切換キー２３と、ナビキー２４と、ホームキー２５と、ホイールデバイス２６と、ＯＫキー２７と、上下左右キー２８と、＋−キー２９とを有する。また、操作部２０は、モノクロスタートキー３０と、カラースタートキー３１と、ストップキー３２と、ファンクションキー３３と、戻るキー３４とを有する。
【００３７】
ＬＣＤ２１は、メッセージやオペレーションプロンプト、メニュー画面、ホーム画面など各種情報を表示するディスプレイである。
【００３８】
電源キー２２は、画像処理装置１００の電源をＯＮ／ＯＦＦするキーである。用紙切換キー２３は、給紙部１４の給紙部が複数の給紙部位を持つ際に、使用する給紙部に切り換えるキーである。ナビキー２４は、画像処理装置１００の操作を簡単に行うナビモードへ入るキーである。
【００３９】
ホームキー２５は、コピー、スキャン、カード印刷、ＤＶＤ／ＣＤ印刷や設定等のジョブへ入るための入り口であるホーム画面に行くキーである。ホイールデバイス２６は、右回りや左回りに回すことによって、値を多入力することのできるデバイスである。ホイールを回すことによって、画像を次々に選択し、数値を増減することができる。実施例１では、合成画像の位置移動や回転等にも使用する。
【００４０】
ＯＫキー２７は、たとえばＬＣＤ２１に表示されたメニュー画面において、複数の選択肢の中から選択された項目について、決定するキーである。上下左右キー２８は、項目をフォーカスする位置の移動や数値の変更等、上下左右で変更が可能なものを変更することができる。プラスキー、及びマイナスキー２９は、メニューやユーザ登録等、ユーザが複数の選択肢から選択を行う際に使用されるキーである。マイナス、プラスは、それぞれ逆順、正順である。
【００４１】
モノクロスタートキー３０は、白黒ファクシミリ送信、白黒コピー等を開始するキーである。カラースタートキー３１は、カラーファクシミリ送信、カラーコピー、カラー写真印刷等を開始するキーである。ストップキー３２は、ファクシミリ送受信、コピーやその他のオペレーション操作を停止させるキーである。
【００４２】
ファンクションキー３３は、画面の表示と対応しているキーである。ＬＣＤ２１の下部にファンクションキー３３に対応した項目が表示され、その表示に基づいて、ユーザがボタンを押す仕組みである。画面によって、その機能は変わる。
【００４３】
戻るキー３４は、操作フロー等の動作の途中で戻る動作を実行する場合に押下するキーである。押下することによって、１つ前の動作に戻ることができる。
【００４４】
操作部２０は、上記のようなキーやデバイスを持ち、ユーザが画像処理装置の操作を行うことができる。実施例１において、上記のような操作部を使用しているが、本件の効果を実現する手段であれば、操作部は、この限りではない。
【００４５】
図３は、第１の色補正用シートＳＨ１の一例を示す図である。
【００４６】
実施例１では、図４に示すように、ＬＣＤ２１の表示内容の色補正を行うための第１の色補正用シートＳＨ１を記録部１３から印刷する。そして、ユーザに色補正の指示が記入された第１の色補正用シートＳＨ１を読み取る。
【００４７】
第１の色補正用シートＳＨ１は、色補正の際に、ユーザが使用するシートである。第１の色補正用シートＳＨ１は、画像処理装置１００の記録部１３から印刷される。
【００４８】
構成要素Ｅ１は、本体の表示部２０が表示するときに使用する背景色と文字色の組合せである。マークＭ１は、その背景色と文字色との組合せを選択するための四角のマークであり、四角のマークＭ１の中に、レ点をユーザが手書きするものである。構成要素Ｅ１とマークＭ１とを、１組とし、第１の色補正用シートＳＨ１に、画像処理装置のＬＣＤ２１で表示することが可能なパターンについて、全て並べて印刷してある。
【００４９】
また、絵Ｐ１は、画像処理装置での実際の表示内容の例として印刷されている絵である。構成要素Ｅ１とマークＭ１との色の組合せの具体的な例として、第１の色補正用シートＳＨ１を塗る際に、ユーザが推測し易くする。本シートの使用方法については、図４で説明する。
【００５０】
実施例１においては、色の見易さ検証のために、構成要素Ｅ１のように、背景色と文字色とのパターンが印刷されているが、表示や印刷での色の見易さを検証できるものであれば、この限りではない。
【００５１】
図４は、第１の色補正用シートＳＨ１を用いて行う印刷や表示の色補正の例を示す図である。
【００５２】
つまり、図４は、図３に示す第１の色補正用シートＳＨ１を用いた実施例１の概要を示す図である。
【００５３】
まず、ＬＣＤ２１の表示内容の色補正を行う際に、第１の色補正用シートＳＨ１は、記録部１３から印刷される。
【００５４】
次に、ユーザが、第１の色補正用シートＳＨ１のうちで、見難い色に関してマークする。マークした第１の色補正用シートＳＨ１について、画像処理装置１００の読取部７が読み取り、この読み取った第１の色補正用シートＳＨ１から、ユーザが見難いパターンの情報を入手する。この入手した情報に基づいて、印刷物や表示内容に補正をかける。
【００５５】
印刷例４１、４２は、ドキュメントに印刷された印刷例である。印刷例４１は、色補正が必要と判断されたドキュメントである。印刷例４２は、色補正されていないドキュメントである。実施例１では、ドキュメントに補正が必要な場合と必要でない場合とを分け、必要である場合にのみ、補正をかけて印刷する。表示例４３は、色補正する前の状態を表示し、表示例４４は、色補正後の状態を表示している。シート読み取り後に、色補正した内容については、表示例４４のように、補正して表示する。シートが読み取られた後、ＬＣＤ２１の表示内容は表示例４４のように色補正が実行される。
【００５６】
図５は、第２の色補正用シートＳＨ２を使用して、ユーザが、色の設定値を変える場合の例を示す図である。
【００５７】
第２の色補正用シートＳＨ２は、第１の色補正用シートＳＨ１と基本的には同じであるが、ユーザが色設定をより変え易いシートである。
【００５８】
第２の色補正用シートＳＨ２には、背景色と文字色との組合せ５２と、数字記載欄５３と、背景色と文字色との４つのパターン例５４とが記載されている。
【００５９】
背景色と文字色との組合せ５２は、第１の色補正用シートＳＨ１における構成要素Ｅ１と同様であり、ＬＣＤ２１において表示で使用する背景色と文字色との組合せである。
【００６０】
数字記載欄５３は、パターン例５４の中から変更したい内容に対応する数字を記載する欄である。
【００６１】
背景色と文字色との４つのパターン例５４は、背景色と文字色との組合せであり、数字１、２、３、４が付けられ、選択肢として使用される。つまり、背景色と文字色との組合せ５２の中で、ユーザが見難いものを選び、この選ばれた組合せ５２の横の数字記載欄５３に、背景色と文字色とのパターン例５４のうちで、そのユーザが見易いパターンの番号と同じ番号を記入する。
【００６２】
第２の色補正用シートＳＨ２を使用する場合、第２の色補正用シートＳＨ２の数字記載欄５３に数字を書き、この書かれた数字を読み取るが、数字そのものを書く代わりに、数字と同じ数のマーク又は模様を書く等してもよい。これによって、変更したい背景色と文字色との組合せを、所望のパターンに置き換えるように指定するようにしてもよい。
【００６３】
次に、実施例１において、画像処理装置のＬＣＤ２１の色を補正する具体的動作について説明する。
【００６４】
図６は、カラーパレットの変更による表示を変更する説明図である。
【００６５】
背景色と文字色とのＢｉｔｍａｐ画像ファイル６１は、カラーパレット６２を持つ画像データである。Ｂｉｔｍａｐ画像ファイル６１は、任意の決められたカラーパレットを元に、テーブル番号によって背景色や文字色を表示する仕組みのデータである。
【００６６】
カラーパレット６２を変更すると、テーブルの参照するコード自体を変えずに中の色だけを変えることができる。たとえば、Ｂｉｔｍａｐ画像ファイル６１の背景色を、カラーパレット６２で表示しているとする。
【００６７】
もしカラーパレット６２からカラーパレット６４に置き換えた場合、Ｂｉｔｍａｐ画像ファイル６１は、背景色が変わり、背景色６３に変更する。この場合、Ｂｉｔｍａｐ画像ファイル６１で、背景色を、カラーパレット６２の横１、縦０で示す色（太線で囲っている部位）６７で示す色を使用しているとする。これが、カラーパレット６４になった場合、参照する位置である横１、縦０は変わらないので、場所６８の色を使用することになり、色が変更される。これをパレット変換と呼ぶ。またカラーパレット６６に変更することによって、ＢＭＰ６５のように、背景色を変更することができる。同様に、カラーパレット６６に変更した場合、色６９を使用して、背景色の色が、Ｂｉｔｍａｐ画像ファイル６１とも背景色６３とも違う色にすることができる。また、文字色についても、背景色と同じカラーパレットを使用して変更することによって、文字色も変更することができる。
【００６８】
第１の色補正用シートＳＨ１や第２の色補正用シートＳＨ２で印刷している背景色と文字色とのパターンは、ここで示すカラーパレットを示している。つまり、第１の色補正用シートＳＨ１で見難いと判断され、マークされたパターンのカラーパレットを、他の見易いと判断されたカラーパレットに変更することによって、ＢＭＰの変更を行わずに、色を変更することができる。
【００６９】
なお、実施例１では、カラーパレット変更による色変換の方法を示しているが、見難いとされたパターンを、見易いパターンに変更する他の方法を使用するようにしてもよい。
【００７０】
図７は、第２の色補正用シートＳＨ２を印刷し、読み込む動作を示すフローチャートである。
【００７１】
実施例１は、画像処理装置１００で、第１の色補正用シートＳＨ１や、第２の色補正用シートＳＨ２を、読取部７が読み取り、画像処理装置に反映させる実施例である。
【００７２】
Ｓ１で、画像処理装置の電源がＯＮされる。Ｓ２で、着荷状態であるかどうかを判別する。上記「着荷状態」は、製品を出荷してから、ユーザがはじめて電源を入れた状態である。つまりＳ２で、ユーザが実際に製品を購入／入手してから最初の電源立上げであるかどうかを判断する。ここで着荷状態（初めての電源立上げ）であれば、Ｓ３に進む。Ｓ２で着荷ではないと判断すると、Ｓ８へ進む。
【００７３】
Ｓ３で、シートの印刷の準備を促す。実施例１では、図３に示す第１の色補正用シートＳＨ１と、図５に示す第２の色補正用シートＳＨ２との２種類を使用するが、製品の仕様としてどちらが適切であるかを考慮すればよく、どちらのシートを使用してもよい。ここでは、第２の色補正用シートＳＨ２を使用する場合について説明する。
【００７４】
Ｓ３でシート印刷の準備をした後に、Ｓ４で、記録部１３がシートを印刷する。Ｓ５で、シートを読み込む画面を、ＬＣＤ２１に表示し、待機する。Ｓ６で、シート読み込みを開始することを確認する。マークされた第２の色補正用シートＳＨ２を、読取部７に置き、操作部２０を介して、シート読み込みを操作すると、Ｓ７で、シートを読み込む。そして、シートに書かれたマーク等を読み込み、シートに書かれた情報を取得する。その情報に基づき、見難い色は見易い色に変更するように値を調整する。たとえば図６で６２を６４に変えるように値を調整する事を指している。
【００７５】
Ｓ７で読み込みと値の調整を行ったら、Ｓ８で、待機画面を表示する。待機画面の表示の詳細は、図９で後述する。
【００７６】
上記のようにして印刷されたシートを、ユーザがマークしたシートを読み込み、その結果をＬＣＤ２１の表示画面を変更する。
【００７７】
実施例１は、第２の色補正用シートＳＨ２に示す構成のシートを読み込み、色補正する実施例である。第２の色補正用シートＳＨ２の構成を持たないシートであっても、同様の内容を取得できるシートであれば、第２の色補正用シートＳＨ２の代わりに使用することができる。
【００７８】
図８は、画像処理装置１００において第２の色補正用シートＳＨ２を読み込む＆値調整（Ｓ７）の処理を示すフローチャートである。
【００７９】
まず、Ｓ１１で、読取部７が読み取り動作する。Ｓ１２で、読み取った結果に、シートがあるかどうかを解析し、つまり、シートを認識できたかどうかを判別する。シートを認識できなければ、Ｓ１７で、シート判別を失敗したとして、シート判別失敗エラーを、ＬＣＤ２１に表示する。Ｓ１２でシートを認識できれば、Ｓ１３で、データを解析する。
【００８０】
ここでは、図３に示す第１の色補正用シートＳＨ１であれば、マークされている部位がどこであるかを解析し、図５に示す第２の色補正用シートＳＨ２であれば、ユーザが書いた数字等を解析する。このデータの解析は、どのパターンが見難いものであるかを解析し、また、見易いパターンはどのパターンであるかを解析する。
【００８１】
解析が終われば、Ｓ１４で、パターンの全てにチェックがあるかどうかを判別する。全てのパターンに、レ点、×印、マーク塗り等の変更の指示がされていた場合、本体で持っているパターン全てが見難いと判断し、Ｓ１５へ進む。全てにチェックがされていなければ、Ｓ１６へ移動する。Ｓ１５で、白黒モードに変更する。これは、表示パーツや補正を有効にする印刷物を構成する画像において、白黒のみで表現することによって、見易さを向上させる。
【００８２】
また、白黒もできるだけ灰色の部位を無くし、白黒の二値化を行う。この方法によって、できるだけ見えやすい表示画面や印刷物を作成できるようにし、Ｓ１８に進む。Ｓ１６で、色変換を解析する。Ｓ１３における見難いパターンと見易いパターンとの解析の結果によって、Ｓ１６で、見難いパターンのＢＭＰカラーパレットを、見易いカラーパレットに変更する処理を行う。
【００８３】
また、見難いパターンを解析し、どの色について見難い傾向があるのかを解析する。Ｓ１８で、色変換モードを登録する。この「色変換モード」は、Ｓ１５を経た白黒モード、Ｓ１６を経たパレット変換モードである。上記色変換モードを、メニュー画面などの表示やレポートなどの印刷を行う際に判別するフラグとして、図９、１０で使用する。
【００８４】
上記のようにすることによって、シートの読み込み及び読み込み結果から、解析することができる。
【００８５】
図９は、色補正を設定した場合における表示動作（Ｓ８）を詳細に示すフローチャートである。
【００８６】
図９に示すフローチャートは、シートを読み取り、この読取結果を、画像処理装置１００に保存する動作を示し、ＬＣＤ２１の表示画面を色補正する動作を詳細に示す。
【００８７】
まず、Ｓ２１で、画面表示を行うかどうかを判別する。つまり、ＬＣＤ２１に表示する内容があり、表示する段階であるかどうかを判別する。Ｓ２１で、画面表示を行うと判別されると、Ｓ２２で、色変換モードが設定されているかどうかを判別する。上記「色変換モード」は、色変換モード登録（Ｓ１８）において設定されたフラグである。このフラグが設定されていれば、Ｓ２３へ進む。上記フラグが設定されていなければ、Ｓ３１に進む。
【００８８】
Ｓ３１で、通常の配色で表示し、動作を終了する。
【００８９】
Ｓ２３で、パーツ番号Ｎを初期化する。この「パーツ番号Ｎ」は、ＬＣＤ２１に表示するパーツの順番である。この「パーツ番号Ｎ」は、表示部２０に画面を表示するための構成要素であるパーツの順番である。たとえば表示例４３の画面であれば、部数の数字やコピーイメージのＢｉｔｍａｐなどが画面の構成要素のパーツである。Ｎｍａｘは、表示する画面で使用するパーツの総数である。Ｓ２３で、初期化した後に、Ｓ２５で、描画するパーツＮについて、色変換が必要であるかどうかを判別する。
【００９０】
色変換が必要でなければ、Ｓ３０で、通常の配色で表示し、Ｓ２４に進む。Ｓ２５で色変換が必要であると判別すると、Ｓ２６で、色変換モードがどのように設定されているかを判別する。Ｓ２６で白黒モードが設定されていると判別されれば、Ｓ２７で、パーツＮを白黒に変換した結果を、表示部２０に表示し、Ｓ２４でＮを１増加し、Ｓ２９に進む。
【００９１】
Ｓ２６で、色変換モードが図６に示すカラーパレットを変換するパレット変換であれば、Ｓ２８では、Ｓ１６で行った解析に基づいて、パレット変換した結果を表示する。
【００９２】
Ｓ２４で、Ｎを１増加し、Ｓ２９へ移動する。Ｓ２９では、ＮがＮｍａｘよりも大きいかどうかを判別する。大きくなければ、表示していないパーツがあるので、Ｓ２５以降で、次のパーツを表示する動作を実行する。ＮがＮｍａｘ以上であれば、処理を終了する。
【００９３】
実施例１によって、表示部２０が表示する必要があれば、色変更して表示することができる。なお、上記色変換モードについて、変換するかどうかを判別ができるものであれば、上記以外の判別を行うようにしてもよい。
【００９４】
図１０は、色補正を設定した場合における印刷動作を示すフローチャートである。
【００９５】
図８、９に示すフローチャートは、シートを読み取り、この読取結果を、画像処理装置１００が保存し、この結果に応じて、ＬＣＤ２１の表示画面を色補正する動作であった。一方、図１０に示す動作は、図８で設定された色変換モードについて、印刷物を色補正する動作である。
【００９６】
まず、Ｓ４１で、印刷を行うかどうかを調べ、操作部２０や他のＩＦ（デジタルカメラ１９や通信回線Ｌ等）から印刷の要求があれば、Ｓ４２で、色変換モードが設定されているかどうかを調べる。
【００９７】
上記「色変換モード」は、Ｓ１８で設定された色変換モードが登録された場合に設定されるものである。実際には、図８に示すように、Ｓ１５またはＳ１６で行った場合に設定する。「色変換モード」が設定されていれば、Ｓ４３へ進む。上記フラグが設定されていなければ、Ｓ４８に進む。Ｓ４８で、通常の配色で表示し、Ｓ４９で印刷し、処理を終了する。Ｓ４３で、入力された印刷について色変換が必要であるかどうかを判別する。色変換が必要でないと判別されれば、Ｓ４７で、通常の配色で印刷データを作成し、Ｓ４９に進む。
【００９８】
また、Ｓ４３で色変換が必要であると判別されれば、Ｓ４４で、色変換モードがどのように設定されているかを判別する。Ｓ４４で白黒モードが設定されていると判別されれば、Ｓ４５で、白黒に変換した印刷データを作成し、Ｓ４９で、印刷する。
【００９９】
Ｓ４４で、色変換モードがパレット変換であると判断されると、Ｓ４６では、Ｓ１６で行った解析の結果に基づいて、パレット変換した結果で印刷データを作成する。ただし、印刷物がパレット変換で色変換ができない場合は、Ｓ１６で解析した見易い色と見難い色との判断結果に応じて、印刷物を色解析し、印刷データを作成する。Ｓ４９で、印刷動作を行う。
【０１００】
実施例１において、必要な場合、印刷動作に色変更したことを示す表示をすることができる。
【０１０１】
図１１は、補正する対象を設定する動作を示すフローチャートである。
【０１０２】
Ｓ４３で、補正する対象であるかどうかを判別するが、この補正対象であるかどうかを設定することができる。
【０１０３】
Ｓ５１で、補正対象設定が選択される。操作部２０等を介して、補正対象設定が選択されたとする。選択された場合、Ｓ５２で、補正する対象の候補をＬＣＤ２１に表示する。補正対象が表示画面であれば、画面の種類や表示内容の種類を表示する。補正対象が印刷物であれば、コピーや写真補正であるのかを表示し、シートやレポート等のデータであるのかを表示する。
【０１０４】
次に、Ｓ５３では、Ｓ５２で表示した中から、補正したい項目を選択する。選択が終わったら、Ｓ５４では、Ｓ５３で選択した項目について、補正する対象であることを登録する。このようにすることによって補正対象を、ユーザが自由に設定することができる。
【０１０５】
画像処理装置は、色補正用のシートを用いて表示画面や印刷物の色補正方法を提供し、画像処理装置の表示内容や印刷物を見易いものに変更して提供することができる。これによって、ユーザビリティの高い製品を提供することができる。
【実施例２】
【０１０６】
本発明の実施例２は、印刷動作を行う際に、印刷の色補正を自動的に行う自動色補正機能がある場合に、図３、５で示す色の補正とを両立させる実施例である。
【０１０７】
実施例２において、図１〜９、図１１は、実施例１と同様である。
【０１０８】
図１２は、実施例２において、自動的に写真を補正する場合に、シートによる色補正を行う動作を示すフローチャートである。
【０１０９】
図１２に示すフローチャートは、図１０と同様に、図８で設定された色変換モードについて、印刷をどのように変更するかを示す。
【０１１０】
まず、Ｓ６１で、印刷を行うかどうかを調べる。操作部２０や他のＩＦ（デジタルカメラ１９や通信回線Ｌ等）から印刷の要求があれば、Ｓ６２へ移動する。Ｓ６２で、色変換モードが設定されているかどうかを調べる。
【０１１１】
上記「色変換モード」は、Ｓ１８で設定された色変換モードが登録された場合に設定されるものである。実際には、図８に示すＳ１５またはＳ１６の処理を行った場合、色変換モードを設定する。「色変換モード」が設定されていれば、Ｓ６３へ進む。設定されていなければ、Ｓ７０に進む。Ｓ７０で、自動補正が設定されているかどうかを判別する。上記「自動補正」は、写真印刷を行う際に、赤目の補正や色味の補正等印刷結果に対する複数の補正を、印刷に際して自動的に実行する動作である。
【０１１２】
自動補正が設定されていれば、Ｓ７１に移動する。自動補正が設定されていなければ、Ｓ７２に移動する。Ｓ７１で、自動補正機能で印刷データを補正し、印刷データを作成し、Ｓ７３へ進む。また、Ｓ７２で、通常の配色で印刷し、Ｓ７３へ進む。Ｓ６３で入力された印刷が、色変換を必要とするかどうかを判別する。Ｓ６３で色変換が必要でないと判断されれば、Ｓ７０に進む。Ｓ６３で色変換が必要であると判断されると、Ｓ６４に進む。
【０１１３】
Ｓ６４で、自動補正が設定されているかどうかを判別する。自動補正が設定されていれば、Ｓ６６に移動する。設定されなければ、Ｓ６５に移動する。
【０１１４】
Ｓ６６で、自動補正機能で、印刷データを補正し、印刷データを作成し、Ｓ６７へ進む。Ｓ６５で、通常の配色で印刷し、Ｓ６７へ進む。
【０１１５】
Ｓ６７で、色変換モードがどのように設定されているかを判別する。Ｓ６７で白黒モードが設定されていると判別されれば、Ｓ６８で、印刷は白黒に変換した印刷データを作成し、Ｓ７３で印刷する。Ｓ６７で、色変換モードがパレット変換であれば、Ｓ６９では、Ｓ１６で解析した結果に基づいて、パレット変換した結果で、印刷データを作成する。ただし、印刷物が、パレット変換で色変換できなければ、Ｓ１６で解析した見易い色と見難い色との判断結果に応じて、印刷物を色解析し、印刷データを作成する。Ｓ７３で、印刷する。
【０１１６】
上記方法を採用することによって、必要な場合、色変更を行った表示を、印刷することができる。また、印刷時に自動補正した他の補正とあわせて、上記色変更するようにしてもよい。
【０１１７】
実施例２は、印刷時の補正とあわせて色補正する実施例である。実施例２によれば、印刷時の補正が行われた場合でも、色補正用シートの読み込みで設定された補正を、印刷物に実行することができる。
【０１１８】
また上記実施例により、色覚障害等のユーザ、又は、見難い物があるユーザにとって、本体の表示内容と印刷とについて、見難い物から見易い物に変更することができる。したがって、障害の度合いや、色補正内容を、意識せずに、色変換の補正を画像処理装置に設定することができる。このようにして、表示内容や印刷において色補正することができる。また、色補正する場合としない場合との両方に対応することができる。
【０１１９】
上記実施例は、画像処理装置における処理内容又は操作項目を表示する表示手段と、ユーザが操作する操作手段と、原稿、写真、シートを印刷する印刷手段と、表示又は印刷における色変換を行う色変換手段とを有する。また、上記実施例は、上記印刷手段が印刷したシートを読み取る読取手段と、ユーザが色を補正したいことを望む内容が記述されている色補正用シートを、上記印刷手段に印刷させる印刷制御手段とを有する画像処理装置の例である。
【０１２０】
この場合、上記色補正用シートを、上記読取手段が読み取り、この読み取り結果に応じて、上記表示手段で表示する内容又は印刷する内容の色を補正する色補正手段を有する。
【０１２１】
また、上記色補正用シートは、表示で使用する文字と背景のパターンとが掲載されているシートである。さらに、上記色補正用シートに印刷されている背景色と文字のパターンとを、マークシート形式で選択するシートを印刷し、また上記読取手段で読み取り解析する。
【０１２２】
しかも、上記色補正用シートは、上記色補正用シートに印刷されている背景色と文字のパターンとに対応して記述欄が設けられ、上記記述欄に文字を記入可能なシートである。上記読取部が色補正用シートを読み取った後に、そのシートが解析される。そして、上記色補正用シートに印刷されている文字色と背景色とのパターンは、ＬＣＤ２１で使用することが可能な全てのパターンである。加えて、上記色補正用シートに掲載されているパターンに、ユーザが色変更を指定すると、ＬＣＤ２１の表示画面又は印刷物について、白黒の設定へ変更する。印刷時に自動的に複数の補正をまとめて実行すると、上記色補正も実行する。
【０１２３】
上記実施例によれば、画像処理装置は、色補正用のシートを用いて表示や印刷の色補正方法を提供し、画像処理装置の表示や印刷物を見易いものに変更して提供することができる。更に印刷の色補正を自動的に行う自動色補正機能がある場合に、色の補正とを両立させることができる。これによって、ユーザビリティの高い製品を提供することができる。
【図面の簡単な説明】
【０１２４】
【図１】本発明の実施例１である画像処理装置１００の概略構成を示すブロック図である。
【図２】画像処理装置１００における操作部２０の具体例を示す図である。
【図３】第１の色補正用シートＳＨ１の一例を示す図である。
【図４】第１の色補正用シートＳＨ１を用いて行う印刷や表示の色補正の例を示す図である。
【図５】第２の色補正用シートＳＨ２を使用して、ユーザが、色の設定値を変える場合の例を示す図である。
【図６】カラーパレットの変更による表示を変更する説明図である。
【図７】第２の色補正用シートＳＨ２を印刷し、読み込む動作を示すフローチャートである。
【図８】画像処理装置１００において第２の色補正用シートＳＨ２を読み込む＆値調整（Ｓ７）の処理を示すフローチャートである。
【図９】色補正を設定した場合における表示動作（Ｓ８）を詳細に示すフローチャートである。
【図１０】色補正を設定した場合の印刷動作を示すフローチャートである。
【図１１】補正する対象を設定する動作を示すフローチャートである。
【図１２】実施例２において、自動的に写真を補正する場合に、色補正用シートによって色補正する動作を示すフローチャートである。
【符号の説明】
【０１２５】
１００…画像処理装置、
１…ＣＰＵ、
２…ＲＯＭ、
３…ＲＡＭ、
４…画像メモリ、
５…データ変換部、
６…読取制御部、
７…読取部、
８…ＣＰＵバス
９…通信制御部、
１０…解像度変換処理部、
１１…符号復号化処理部、
１２…記録制御部、
１３…記録部、
１４…給紙部、
１５…ＵＳＢファンクション制御部、
１６…データ蓄積部、
１７…ＵＳＢホスト制御部、
１８…メモリカード、
１９…デジタルカメラ、
Ｌ…通信回線、
２０…操作、表示部、
２２…電源キー、
２３…用紙切換キー、
２４…ナビキー、
２５…ホームキー、
２６…ホイールデバイス、
２７…ＯＫキー、
２８…上下左右キー、
２９…プラスキー、マイナスキー、
３０…モノクロスタートキー、
３１…カラースタートキー、
３２…ＳＴＯＰキー、
３３…ファンクションキー、
３４…戻るキー、
ＳＨ１…第１の色補正用シート、
ＳＨ２…第２の色補正用シート。
【図１】
0004981531.tif 000002
【図２】
0004981531.tif 000003
【図３】
0004981531.tif 000004
【図４】
0004981531.tif 000005
【図５】
0004981531.tif 000006
【図６】
0004981531.tif 000007
【図７】
0004981531.tif 000008
【図８】
0004981531.tif 000009
【図９】
0004981531.tif 000010
【図１０】
0004981531.tif 000011
【図１１】
0004981531.tif 000012
【図１２】
0004981531.tif 000013